(57)【要約】      （修正有）【課題】赤外線受信器の組立構造及びサイド発光装置を提供する。【解決手段】赤外線受信機１２の組立構造はフィルタカバー１１及び赤外線受信機を含み、フィルタカバーは導光板２０に取り付けられかつ導光板から導出された光を遮断するために用いられ、フィルタカバーの内部に収容キャビティ１１１が形成され、赤外線受信機は収容キャビティ内に収容される。サイド発光装置は、ハウジング、光源、導光板及び赤外線受信機の組立構造を含み、光源は導光板の入光側に位置し、赤外線受信機の組立構造は導光板の出光側に位置する。赤外線受信機の組立構造はフィルタカバーを用いて赤外線受信機を包みかつ導光板に取り付け、フィルタカバーにより導光板から赤外線受信機に導かれた光を遮断し、導光板から導出された光が赤外線受信機の感度に影響を与える問題を解決し、複雑な光源干渉環境下で赤外線受信機の感度を効果的に向上させ、ユーザーの使用体験効果を向上させる。【選択図】図３
0003235135.tif 000002
【実用新案登録請求の範囲】
【請求項１】
導光板に取り付けられかつ導光板から導出された光を遮断するためのものであり、
その内部に収容キャビティが形成されるフィルタカバーと、
前記収容キャビティ内に収容される赤外線受信器と、
を備えることを特徴とする赤外線受信機の組立構造。
【請求項２】
前記赤外線受信機の受信面が前記導光板と異なる側に向くことを特徴とする請求項１に記載の赤外線受信機の組立構造。
【請求項３】
前記収容キャビティの前記導光板と異なるキャビティ壁に収容溝が開設され、前記赤外線受信機の受信ヘッドが前記収容溝内に収容されることを特徴とする請求項１に記載の赤外線受信機の組立構造。
【請求項４】
前記フィルタカバーが黒色光透過材料部品であることを特徴とする請求項１に記載の赤外線受信機の組立構造。
【請求項５】
前記フィルタカバーの外壁に前記導光板の係止口とマッチングするための第一係止溝が開設され、前記係止口が前記導光板の縁部に開設され、かつ前記第一係止溝と係合することを特徴とする請求項１〜４のいずれか一項に記載の赤外線受信機の組立構造。
【請求項６】
前記係止口の前記フィルタカバーに向かう端面に黒色遮光層が設置されることを特徴とする請求項５に記載の赤外線受信機の組立構造。
【請求項７】
ハウジング、光源、導光板及び請求項１〜６のいずれか一項に記載の赤外線受信機の組立構造を含み、前記光源、前記導光板及び前記赤外線受信機の組立構造はそれぞれ前記ハウジングに取り付けられ、前記光源は前記導光板の入光側に位置し、前記赤外線受信機の組立構造は前記導光板の出光側に位置することを特徴とするサイド発光装置。
【請求項８】
前記ハウジングが接続部材を含み、前記フィルタカバーが前記接続部材に取り付けられることを特徴とする請求項７に記載のサイド発光装置。
【請求項９】
前記フィルタカバーの外壁に第二係止溝が開設され、前記接続部材の外壁に第三係止溝が開設され、前記第二係止溝が前記第三係止溝と係合することを特徴とする請求項８に記載のサイド発光装置。
【請求項１０】
前記接続部材にボスが設置され、前記フィルタカバーに逃げ溝が開設され、前記逃げ溝は前記収容キャビティに連通し、前記ボスは前記逃げ溝を通過して前記収容キャビティ内に伸び、かつ前記赤外線受信器に当接して、前記赤外線受信器を固定させることを特徴とする請求項８に記載のサイド発光装置。
【考案の詳細な説明】
【技術分野】
【０００１】
本考案は発光装置の技術分野に属し、より具体的には、赤外線受信機の組立構造及びサイド発光装置に関するものである。
【背景技術】
【０００２】
サイド発光は直下型発光に対するものであり、サイド発光とは、一般的に導光板により光源の光を装置の側部に向かって出射するようにガイドする。
【０００３】
従来のサイド発光ランプファンの赤外線受信器は導光板の脇側に設置され、導光板から導出された光は赤外線受信器を直接照射し、赤外線受信器は該光の干渉を受けるため感度が低下する。
【考案の概要】
【考案が解決しようとする課題】
【０００４】
本考案の目的は赤外線受信器の組立構造及びサイド発光装置を提供することであり、導光板から導出された光が赤外線受信器の感度に影響を与えるという技術的問題を解決することを含むが、これらに限定されない。
【課題を解決するための手段】
【０００５】
上記目的を達成するために、本考案は赤外線受信機の組立構造を提供し、その赤外線受信機の組立構造は、フィルタカバーと赤外線受信器を備え、
前記フィルタカバーは導光板に取り付けられかつ導光板から導出された光を遮断するためのものであり、その内部に収容キャビティが形成され、前記赤外線受信器は前記収容キャビティ内に収容される。
【０００６】
本考案が提供する赤外線受信機の組立構造はフィルタカバーを用いて赤外線受信機を包みかつ導光板に取り付け、フィルタカバーにより導光板から赤外線受信機に導かれた光を遮断し、それにより導光板から導出された光が赤外線受信機の感度に影響を与えるという技術的問題を解決し、複雑な光源干渉環境下で赤外線受信機の感度を効果的に向上させ、ユーザーの使用体験効果を向上させる。
【０００７】
一つの実施例において、前記赤外線受信器の受信面は前記導光板と異なる側に向く。
導光板から導出された非可視光を避けることに役立ち、複雑な光源干渉環境で赤外線受信器の感度をさらに向上させることができる。
【０００８】
さらに、前記収容キャビティの前記導光板と異なるキャビティ壁に収容溝が開設され、前記赤外線受信機の受信ヘッドが前記収容溝内に収容される。
それにより赤外線受信器の受信面は導光板と異なる側に向き、導光板から導出された非可視光を避けることに役立ち、複雑な光源干渉環境で赤外線受信器の感度をさらに向上させることができる。
【０００９】
一つの実施例において、前記フィルタカバーは黒色光透過材料部品である。
フィルタカバーは可視光を効果的に濾過することができ、導光板から赤外線受信器に導かれた光を、赤外線受信器を干渉しない光波に変換する。
【００１０】
一つの実施例において、前記フィルタカバーの外壁に前記導光板の係止口とマッチングするための第一係止溝が開設され、前記係止口が前記導光板の縁部に開設され、かつ前記第一係止溝と係合する。
それによりフィルタカバーと導光板の組み立てを実現する。
【００１１】
一つの実施例において、前記係止口の前記フィルタカバーに向かう端面に黒色遮光層が設置される。
【００１２】
それにより黒色遮光層により導光板から導出された全ての可視光及び一部の赤外光を吸収することができ、赤外線受信機に影響を与える光波を大幅に弱め、複雑な光源干渉環境下で赤外線受信機の感度をさらに向上させる。
【００１３】
本考案はさらにサイド発光装置を提供し、ハウジング、光源、導光板及び上記赤外線受信機の組立構造を含み、前記光源、前記導光板及び前記赤外線受信機の組立構造はそれぞれ前記ハウジングに取り付けられ、前記光源は前記導光板の入光側に位置し、前記赤外線受信機の組立構造は前記導光板の出光側に位置する。
本考案の提供するサイド発光装置は赤外線受信器の組立構造を採用し、フィルタカバーにより導光板から赤外線受信器に導かれた光を遮断し、それにより導光板から導出された光が赤外線受信器の感度に影響を与えるという技術的問題を解決し、複雑な光源干渉環境で赤外線受信器の感度を効果的に向上させ、ユーザーの使用体験効果を向上させる。
【００１４】
一つの実施例において、前記ハウジングは接続部材を含み、前記フィルタカバーが前記接続部材に取り付けられる。
それにより導光板の一部を、フィルタカバーを介してハウジングに接続することができる。
【００１５】
一つの実施例において、前記フィルタカバーの外壁に第二係止溝が開設され、前記接続部材の外壁に第三係止溝が開設され、前記第二係止溝が前記第三係止溝と係合する。
それによりフィルタカバーと接続部品の組み立てを実現する。
【００１６】
一つの実施例において、前記接続部材にボスが設けられ、前記フィルタカバーに逃げ溝が開設され、前記逃げ溝は前記収容キャビティに連通し、前記ボスは前記逃げ溝を通過して前記収容キャビティ内に伸び、かつ前記赤外線受信器に当接して、前記赤外線受信器を固定させる。それにより赤外線受信器を収容キャビティ内に固定する。
【００１７】
本考案の実施例に係る技術的解決手段をより明らかにするために、以下、実施例または従来技術の説明に使用する必要がある図面を簡単に説明するが、明らかなことに、以下の説明における図面は、本考案のいくつかの実施例に過ぎない。当業者であれば、創造的な工夫をせずに、これらの図面により他の図面を取得することができる。
【図面の簡単な説明】
【００１８】
【図１】本考案の実施例が提供するサイド発光装置の斜視図である。
【図２】本考案の実施例が提供するサイド発光装置の縦断面図である。
【図３】図２におけるＡ部分の拡大図である。
【図４】本考案の実施例が提供するサイド発光装置の一部分解斜視図である。
【図５】本考案の実施例が提供する接続部材の斜視図である。
【考案を実施するための形態】
【００１９】
本考案が解決しようとする技術的問題、技術的解決手段および有益な効果をより分かりやすくするために、以下に添付図面および実施例を参照しながら、本考案について詳しく説明する。ここで記載した具体的な実施例は本考案を説明するためのものに過ぎず、本考案を限定するものと理解すべきではない。
【００２０】
説明すべきことは以下のとおりである。ある部材が別の部材に「固定」または「設置」されると称する場合に、それが別の部材に直接的または間接的に位置するようにしてもよい。ある部材が別の部材に「接続」されると称する場合に、それは、別の部材に直接的または間接的に接続されるようにしてもよい。ある部材が他の部材に「電気的に接続される」と称する場合、それは導体で電気的に接続されてもよく、又は無線で電気的に接続されてもよく、さらに他の様々な電気信号を伝送できる接続方式であってもよい。「上」、「下」、「左」、「右」などの用語が示した方位または位置関係は、図面に示された方位または位置関係に基づいて説明しやすくなるためのものに過ぎず、装置または部品が特定の方位を有しそして特定の方位で構成し操作しなければならないことを指すまたは暗示するためのものではないため、本考案を限定するものと理解すべきではなく、当業者にとって、具体的な状況に応じて上記用語の具体的な意味を理解することができる。別途明確かつ具体的な限定がない限り、「用語「複数」とは、二つ以上を意味する。
【００２１】
図１及び図３に示すとおり、本考案は赤外線受信機の組立構造１０を提供し、フィルタカバー１１及び赤外線受信機１２を含み、そのうち、フィルタカバー１１は導光板２０に取り付けられかつ導光板２０から導出された光を遮断するためのものであり、フィルタカバー１１の内部に収容キャビティ１１１が形成され、赤外線受信機１２は収容キャビティ１１１内に収容される。
【００２２】
具体的には、フィルタカバー１１は導光板２０の出光側に位置し、かつフィルタカバー１１は導光板２０の縁部に取り付けられ、赤外線受信機１２はフィルタカバー１１の収容キャビティ１１１内に取り付けられ、フィルタカバー１１は可視光を濾過できる材料で製造されるため、それにより導光板２０から赤外線受信機１２に導かれた光を遮断することができ、さらに赤外線受信機１２の感度への影響を低減する。
【００２３】
本考案が提供する赤外線受信機の組立構造１０は、フィルタカバー１１を用いて赤外線受信機１２を包みかつ導光板２０に取り付けられ、フィルタカバー１１により導光板２０から赤外線受信機１２に導かれた光を遮断し、それにより導光板から導出された光が赤外線受信機の感度に影響を与えるという技術的問題を解決し、複雑な光源干渉環境下で赤外線受信機１２の感度を効果的に向上させ、ユーザーの使用体験効果を向上させる。
【００２４】
好ましくは、図３に示すとおり、本考案の提供する赤外線受信機の組立構造の一つの具体的な実施例として、赤外線受信機１２の受信面１２１０は導光板２０と異なる側に向く。即ち赤外線受信器１２の受信面１２１０は導光板２０から離れる側又は導光板２０に隣接する側に向き、導光板２０から導出された非可視光を避けることに役立ち、複雑な光源干渉環境で赤外線受信器１２の感度をさらに向上させることができる。
【００２５】
好ましくは、図３に示すとおり、本考案の提供する赤外線受信機の組立構造の一つの具体的な実施例として、収容キャビティ１１１の導光板２０と異なるキャビティ壁に収容溝１１２が開設され、赤外線受信機１２の受信ヘッド１２１が収容溝１１２内に収容される。具体的には、収容溝１１２は収容キャビティ１１１の導光板２０から離れたキャビティ壁又は導光板２０に隣接するキャビティ壁に設置され、即ち収容溝１１２は導光板２０と背中合わせに配置されないキャビティ壁に設置され、それにより赤外線受信器１２の受信面１２１０は導光板２０と異なる側に向き、導光板２０から導出された非可視光を避けることに役立ち、複雑な光源干渉環境で赤外線受信器１２の感度をさらに向上させることができる。
【００２６】
好ましくは、図３に示すとおり、本考案の提供する赤外線受信機の組立構造の一つの具体的な実施例として、フィルタカバー１１は黒色光透過材料部品である。即ちフィルタカバー１１は黒色光透過材料で製造され、それによりフィルタカバー１１は可視光を効果的に濾過し、導光板２０から赤外線受信機１２に導かれた光を、赤外線受信機１２を干渉しない光波に変換することができる。
【００２７】
好ましくは、図３及び図４に示すとおり、本考案の提供する赤外線受信機の組立構造の一つの具体的な実施例として、フィルタカバー１１の外壁に導光板２０の係止口２００とマッチングするための第一係止溝１１３が開設され、係止口２００が導光板２０の縁部に開設され、かつ係止口２００が第一係止溝１１３と係合する。具体的には、導光板２０の出光側の縁部に係止口２００が開設され、係止口２００はＵ字形を呈し、同時に、フィルタカバー１１の外壁にＵ字形を呈する第一係止溝１１３が開設され、組み立てる時、フィルタカバー１１の第一係止溝１１３に囲まれた一部は係止口２００内に嵌め込まれ、導光板２０の係止口２００の周囲に位置する縁部は第一係止溝１１３内に挿入され、それによりフィルタカバー１１と導光板２０の組み立てを実現する。
【００２８】
好ましくは、図４に示すとおり、本考案の提供する赤外線受信機の組立構造の一つの具体的な実施例として、係止口２００のフィルタカバー１１に向かう端面に黒色遮光層が設置される。具体的には、黒色遮光層は黒色インク層であり、黒色遮光層はスプレー又は印刷等の方式により導光板２０の係止口２００のフィルタカバー１１に向かう端面に付着することができ、それにより黒色遮光層により導光板２０から導出された全ての可視光及び一部の赤外光を吸収することができ、赤外線受信機に影響を与える光波を大幅に弱め、複雑な光源干渉環境で赤外線受信機１２の感度をさらに向上させる。
【００２９】
図１及び図２に示すとおり、本考案はさらにサイド発光装置１を提供し、ハウジング３０、光源４０、導光板２０及び上記赤外線受信機の組立構造１０を含み、ここで、光源４０、導光板２０及び赤外線受信機の組立構造１０はそれぞれハウジング３０に取り付けられ、光源４０は導光板２０の入光側に位置し、赤外線受信機の組立構造１０は導光板２０の出光側に位置する。
【００３０】
本考案の提供するサイド発光装置１は、赤外線受信機の組立構造１０を採用し、フィルタカバー１１により導光板２０から赤外線受信機１２に導かれた光を遮断し、それにより導光板から導出された光が赤外線受信機の感度に影響を与えるという技術的問題を解決し、複雑な光源干渉環境下で赤外線受信機１２の感度を効果的に向上させ、ユーザーの使用体験効果を向上させる。
【００３１】
好ましくは、図１及び図３に示すとおり、本考案の提供するサイド発光装置の一つの具体的な実施例として、ハウジング３０は接続部材３１を含み、フィルタカバー１１は接続部材３１に取り付けられる。具体的には、接続部材３１はハウジング３０のうちの一つの部品であり、組み立てる時、フィルタカバー１１はまず接続部材３１に接続された後、導光板２０と係合し、すなわち導光板２０の一部はフィルタカバー１１によりハウジング３０に接続され、それにより導光板２０とハウジング３０の組み立てを実現する。
【００３２】
好ましくは、図１、図４及び図５に示すとおり、本考案の提供するサイド発光装置の一つの具体的な実施例として、フィルタカバー１１の外壁に第二係止溝１１４が開設され、同時に、接続部材３１の外壁に第三係止溝３１１が開設され、第二係止溝１１４が第三係止溝３１１と係合する。具体的には、第二係止溝１１４はフィルタカバー１１の頂部に設置されてもよく、かつＵ字形を呈してフィルタカバー１１の外壁に囲まれ、第三係止溝３１１は接続部材３１の底部に設置されてもよく、かつＵ字形を呈して接続部材３１の外壁に囲まれ、組み立てる時、第二係止溝１１４の頂壁は第三係止溝３１１内に挿入され、第三係止溝３１１の底壁は第二係止溝１１４内に挿入され、係合を形成し、それによりフィルタカバー１１と接続部材３１の組み立てを実現する。
【００３３】
好ましくは、図３〜図５に示すとおり、本考案の提供するサイド発光装置の一つの具体的な実施例として、接続部材３１にボス３１２が設置され、同時に、フィルタカバー１１に逃げ溝１１５が開設され、逃げ溝１１５は収容キャビティ１１１に連通し、ボス３１２は逃げ溝１１５を通過して収容キャビティ１１１内に伸び、かつ赤外線受信器１２に当接する。具体的には、逃げ溝１１５は貫通溝であり、フィルタカバー１１の外壁及び収容キャビティ１１１のキャビティ壁を貫通し、かつ逃げ溝１１５は第二係止溝１１４の対称中心線を通過し、第二係止溝１１４を二つの半Ｕ字形溝に分割し、ボス３１２は接続部材３１の底面から外向きに突出し、かつボス３１２は第三係止溝３１１の対称中心線を通過し、第三係止溝３１１を二つの半Ｕ字形溝に分割し、第二係止溝１１４が第三係止溝３１１と係合する時、ボス３１２は逃げ溝１１５を通過して収容キャビティ１１１内に伸び、かつボス３１２の底面は赤外線受信機１２に当接し、赤外線受信機１２を収容キャビティ１１１内に固定させる。
【００３４】
以上の記載は本考案の好ましい実施例に過ぎず、本考案を制限するものではなく、本考案の精神及び原則内で行われたいかなる修正、同等置換及び改善等は、いずれも本考案の保護範囲内に含まれるべきである。
【符号の説明】
【００３５】
１  サイド発光装置
１０  赤外線受信機の組立構造
１１  フィルタカバー
１２  赤外線受信機
２０  導光板
３０  ハウジング
３１  接続部材
４０  光源
１１１  収容キャビティ
１１２  収容溝
１１３  第一係止溝
１１４  第二係止溝
１１５  逃げ溝
１２１  受信ヘッド
２００  係止口
３１１  第三係止溝
３１２  ボス
１２１０  受信面
【図１】
0003235135.tif 000003
【図２】
0003235135.tif 000004
【図３】
0003235135.tif 000005
【図４】
0003235135.tif 000006
【図５】
0003235135.tif 000007